(57)【要約】【課題】  緩衝機能を備えた配列手段を用いて光学部品を保持しつつ梱包することによって、振動衝撃による光学部品の損傷や、光学部品が容器内壁を削ることによるゴミ発生という不具合を解決することができる光学部品梱包容器を提供する。【解決手段】  複数の光学部品Ｄを所定のピッチにて平行に直列配列する配列手段１５と、配列手段を保持したケース２と、を備えた光学部品の梱包容器において、配列手段として、所定の幅方向間隔を隔てて平行に配置した２つのジャバラシート１２を用い、各ジャバラシートのピッチ間に形成される開放部内に光学部品の両端縁を差込んで弾性的に保持するように構成した。【選択図】  図１
2006273350.tif 000002
【特許請求の範囲】
【請求項１】
複数の光学部品を所定のピッチにて平行に直列配列する配列手段と、該配列手段を保持したケースと、を備えた光学部品の梱包容器において、
前記配列手段として、ケース内底面上に所定の幅方向間隔を隔てて平行に立設した複数のジャバラシートを用い、該各ジャバラシートの開放部内に前記光学部品の両端縁を差込んで保持するように構成したことを特徴とする光学部品梱包容器。
【請求項２】
前記ジャバラシートはその長手方向両端部を、前記ケースの対向する両内壁によって夫々支持されていることを特徴とする請求項１に記載の光学部品梱包容器。
【請求項３】
前記ジャバラシートはその底辺を、前記ケースの内底面上に接着されていることを特徴とする請求項１、又は２に記載の光学部品梱包容器。
【請求項４】
前記ジャバラシートの開放部の内壁に設けた粘着層によって前記光学部品の端縁を接着保持したことを特徴とする請求項１、２、又は３に記載の光学部品梱包容器。
【発明の詳細な説明】
【技術分野】
【０００１】
本発明は、主として板状の光学部品を十分な緩衝性を確保しつつ方向性よく整列保持して、次工程、或いはアッセンブリメーカーに提供することを可能とした光学部品梱包容器に関する。
【背景技術】
【０００２】
光ピックアップ、その他の光学装置に使用される光学部品としてのビームスプリッタやプリズム等の多面体は、小型化の要請によって数ｍｍ角の微小寸法に構成されているが、サイズの大小を問わず、光学部品は衝撃による損傷や、ゴミ等の異物付着による不良品化を防止するために、その取扱には最大限の配慮が必要である。そのため、運搬中に衝撃や振動が加わった場合の耐衝撃性、ゴミ等の付着防止等を考慮した梱包容器が従来から種々提案されている。
例えば、特開２００１−２１６７公報には、光学デバイス収容用の貫通孔を有したケース本体の貫通孔底面に粘着シートを張設して光学デバイスの一面をこの粘着シートの粘着面によって接着保持するようにした光学デバイス用梱包が開示されている。この従来例にあっては、ケース本体の下面側から衝撃が加わった場合に、その衝撃が直接光学デバイスに伝わるため、光学デバイスがケース本体内面と衝突することによって破損したり、ケース本体内壁が削られることにより発生したゴミが光学デバイスに付着する等の不具合が発生する。また、光学デバイスの一面を接着支持するだけの構造であるため、衝撃に対する保持力が十分でなかった。また、ＰＥＴ、ＰＳ等の樹脂材料にて貫通孔を有したケース本体を構成するため、容器製造のために金型が必要となり、しかも光学部品の種類、形状、サイズの違いに応じて個別に製造する必要があるため、コストの低減に限界があった。
次に、特開平９−３０５９３号公報には、下ケース内底面に薄板状のクッション部材を介して接着シートを配置し、光学デバイス面をクッション部材を介して接着支持するようにした構成が開示されている。しかし、この従来例は薄肉のクッション部材を介して光学デバイスの一面を下ケース内底面から浮かせた状態で支持しているに過ぎないため、加えられる衝撃、光学デバイスの形状によっては、光学デバイスがケース内底面と衝突して損傷したり、ケースを削ってゴミを発生させる、といった不具合が発生する。また、ＰＥＴ、ＰＳ等の樹脂材料にてケースを構成するため、容器製造のために金型が必要となり、しかも光学部品の種類、形状、サイズの違いに応じて個別に製造する必要があるため、コストの低減に限界があった。
次に、特開２００２−３７０７８０公報には、下ケース内底面に設けた突起状の接着部材によって光学部品の底面（非光学面）中央部をクッションを介して接着支持すると共に、上ケース天井面に設けたエアークッションによって光学部品の上面全体（非光学面）を支持する構成や、ＰＥＴから成る下ケース内底面によって光学デバイス底面を全面的に支持すると共に光学デバイス上面の中央部のみをＰＥＴからなる上ケースに設けた突起によって支持する構成や、更にはＰＥＴから成る下ケース内底面によって光学部品の底面全体を直接接着支持すると共に、上ケース天井面に配置したエアークッションによって光学部品の上面全体を支持する構成が開示されている。
【０００３】
しかし、上記従来例は何れも光学部品の側面（光学面）と対応する位置にクッション部材を配置する構成であるため、下ケースの横方向の容積が増大すると共に、廃棄されるゴミの量が増大するという問題が起きる。このクッション部材が光学面と接触することによる光学面の損傷、ゴミ付着という問題も発生する。また、ＰＥＴからなる下ケース或いは上ケースと光学部品が直接接触しているため、ＰＥＴ部分が削られてゴミを発生する可能性が高まる。また、ＰＥＴ等の樹脂材料にてケースを構成するため容器製造のために金型が必要となり、しかも光学部品の種類、形状、サイズの違いに応じて個別に製造する必要があるため、コストの低減に限界があった。
【特許文献１】特開２００１−２１６７公報
【特許文献２】特開平９−３０５９３号公報
【特許文献３】特開２００２−３７０７８０公報
【発明の開示】
【発明が解決しようとする課題】
【０００４】
本発明は上記に鑑みてなされたものであり、緩衝機能を備えた配列手段を用いて光学部品を保持しつつ梱包することによって、振動衝撃による光学部品の損傷や、光学部品が容器内壁を削ることによるゴミ発生という不具合を解決することができる光学部品梱包容器を提供することを目的としている。
【課題を解決するための手段】
【０００５】
上記課題を解決するため、請求項１の発明は、複数の光学部品を所定のピッチにて平行に直列配列する配列手段と、該配列手段を保持したケースと、を備えた光学部品の梱包容器において、前記配列手段として、ケース内底面上に所定の幅方向間隔を隔てて平行に立設した複数のジャバラシートを用い、該各ジャバラシートの開放部内に前記光学部品の両端縁を差込んで保持するように構成したことを特徴とする。
請求項２の発明は、請求項１において、前記ジャバラシートはその長手方向両端部を、前記ケースの対向する両内壁によって夫々支持されていることを特徴とする。
請求項３の発明は、請求項１又は２において、前記ジャバラシートはその底辺を、前記ケースの内底面上に接着されていることを特徴とする。
請求項４の発明は、請求項１、２、又は３において、前記ジャバラシートの開放部の内壁に設けた粘着層によって前記光学部品の端縁を接着保持したことを特徴とする。
【発明の効果】
【０００６】
請求項１の発明によれば、所定の幅方向間隔を隔てて平行に配置した複数のジャバラシートのピッチ間に形成される開放部内に光学部品の両端縁を差込んで保持するように構成したので、振動、衝撃が加わった場合にも光学部品が保護される。保持方法としては、ジャバラシート自体の弾性による保持、或いは開放部の内壁に形成した粘着面による保持が可能である。また、ケース内壁から光学部品を非接触状態で支持することにより、光学部品によってケース内壁が削られてゴミが発生することもない。ジャバラシートの開放部幅（ピッチ幅）を調整可能なので、同じ構造のジャバラシートを用いて異なった肉厚、異なった寸法の光学部品を保持する共通使用が可能となる。
請求項２の発明では、ジャバラシートの長手方向両端部をケースの対向する両内壁によって夫々支持するので、簡単にジャバラシートをケースにセットして使用することができる。使用するケースのサイズ（両内壁間距離）を変更することにより、同一構成のジャバラシートの開放部ピッチを変更することができるので、異なったサイズ、肉厚の光学部品の保持に共通使用することができる。
請求項３の発明では、ジャバラシートはその底辺を、ケースの内底面上に接着されているので、使用するジャバラシートの開放部ピッチを任意に変更することができる。
請求項４の発明は、前記ジャバラシートの開放部の内壁に設けた粘着層によって前記光学部品の端縁を接着保持するので、光学部品の端縁の稜線を粘着層によって線接触保持することとなり、確実に保持できる一方で、光学部品の取外しも容易となる。
【発明を実施するための最良の形態】
【０００７】
以下、本発明を図面に示した実施の形態により詳細に説明する。
図１（ａ）及び（ｂ）は梱包容器一部断面斜視図、及び光学部品を保持した状態の平面図であり、図２（ａ）及び（ｂ）は本発明の一実施形態に係る光学部品梱包容器を構成する配列手段の基本形状を示す正面図及び端面図である。
この梱包容器１は、下ケース３、及び下ケース３の上面開口を閉止する上ケース４から成るケース２と、下ケース３によって支持される配列手段１１と、を備えて構成されている。なお、上ケース４によって配列手段１１を支持してもよい。
配列手段１１は、所定の幅方向間隔ｗを隔てて平行に配置された少なくとも２本（この例では４本）のジャバラシート（ジャバラ状板バネ）１２から構成されており、各ジャバラシート１２は同一材質、同一形状の可撓性を有した帯状のシート材を所定ピッチにてジャバラ状に（鋭角状の屈曲部が繰り返し連続形成された形状となるように）屈曲させた構成を有し、同一の長手方向長を有する。
このように本実施形態では、複数の光学部品Ｄを所定のピッチにて平行に直列配列する配列手段１１として、ケース底面上に所定の幅方向間隔ｗを隔てて平行に立設した複数のジャバラシート１２を用い、各ジャバラシートのピッチ間に形成される開放部１２Ａ内に光学部品Ｄの両端縁を差込んで弾性的に保持、或いは粘着剤を用いて保持するように構成している。
【０００８】
図２（ｂ）のように、この例では端面形状が矩形となっているが、後述するように矩形以外の端面形状となるようにシート材の形状を選定してもよい。また、ジャバラシート１２を構成するシート材は、金属薄板でもよいし、ＰＥＴ、ＰＳ等の樹脂シートであってもよいし、更には紙であってもよい。金属の場合には樹脂コーティングを施す。要するにシート材の材質としては、ジャバラ状に成形した状態において、保持した光学部品の重量によって倒れたり折れたり拡開する等の変形を起こすことのないような十分な保形性と、光学部品の端縁をある程度の力で保持し得る伸縮性（バネ性）を発揮し得るものを選定すればよい。
シート材の形状としては全長に亘って同一幅の帯状である必要はなく、後述するように種々の形態が考えられる。
また、後述する各実施形態におけるジャバラシート１２の使用方法に応じて、ジャバラシート１２の光学部品保持面に粘着層を予め形成しておいてもよいし、形成しておかなくてもよい。
【０００９】
図１に示したケース２における下ケース３は、底板５の外周縁に枠体６を立設固定した構成を有しており、枠体６のうちの対向する２つの壁部６ａ、６ｂの内壁にはジャバラシート１２の長手方向両端部から突出した被係止部１２ａを夫々差込み支持するための切り込み状の係止部７が夫々複数形成されている。
各ジャバラシート１２の幅方向間隔ｗは、各壁部６ａ、６ｂの長手方向に沿って複数配置された係止部７の中から選択した任意の係止部７にジャバラシートの被係止部１２ａを係止することによって調整する。要するに、各ジャバラシート間の幅方向間隔ｗ、一対のジャバラシート１２の幅方向位置は、任意に変更、調整可能である。ジャラバシート１２の着脱が極めて容易となる点も利点である。
また、使用するケースのサイズ（両内壁間距離）を変更することにより、同一構成のジャバラシートの開放部ピッチを変更することができるので、異なったサイズ、肉厚の光学部品の保持に共通使用することができる。
また、図１（ａ）（ｂ）に示すように隣接する２つのジャバラシート１２の各開放部（保持部）１２Ａ同士が対向することにより、対向し合う各開放部１２Ａ内に一つの光学部品Ｄの端縁が夫々嵌合して保持されるように構成する。
光学部材Ｄの端縁は開放部１２Ａを構成するジャバラシートのシート材によって弾性的に挟圧保持されることにより、振動、衝撃が加わった場合にも保護される。また、ケース内壁から光学部品Ｄを非接触状態で支持することにより、光学部品によってケース内壁が削られてゴミが発生することもない。
ジャバラシート１２が光学部品Ｄを保持する開放部１２Ａの内壁面に粘着層を設けておくことにより、光学部品Ｄの端縁の稜線を線接触にて保持するようにしても良いし、底板５の上面に粘着層１０を形成することにより、ジャバラシート間に保持される光学部品Ｄの底面を接着保持するようにしてもよい。この際、粘着層は両面テープを用いて形成してもよいし、スプレーノリを塗布することによって形成してもよい。
【００１０】
図３はジャバラシートの変形例を示す端面図であり、（ａ）は略台形状、（ｂ）は先端の幅が漸減するテーパー部を有した形状である。要するに、ジャバラシートの形状は保持する光学部品の形状、サイズに応じて種々変形可能である。
図４は本発明の梱包容器１の他の実施形態を示す要部斜視図であり、この例では下ケース３の底板５の上面の両端縁に沿って帯状に粘着層１５を形成し、両粘着層１５によって各ジャバラシート１２の両端下辺（底辺）を接着保持するようにしている。なお、必要に応じて、底板上面の両端縁以外の部分に粘着層１０を形成してジャバラシート１２を位置決めするようにしてもよい。
この実施形態においては、粘着層１５（１０）によって接着保持するジャバラシート１２の両端部の長さ（屈曲部分の個数）を調整することにより、底板５の上面に位置するジャバラシートの屈曲部の個数を調整することができ、その結果開放部１２Ａの開放角度を調整して、保持する光学部品に適した開放角度とすることができる。つまり、本発明によれば粘着層１５（１０）によって保持するジャバラシートの位置を種々変更することによって、異なったサイズ、厚みの光学部品を同一構成のジャバラシートを用いて保持することができる。
【００１１】
次に図５（ａ）（ｂ）及び（ｃ）は本発明の他の実施形態に係る梱包容器による光学部品の梱包手順を示す平面図であり、下ケース３の底板５の上面には各ジャバラシート１２を配置する位置に沿って帯状に両面テープ等から成る粘着層１０ａ、１０ｂ、１０ｃが所定の幅方向間隔Ｗ１を隔てて形成されている。この粘着層１０ａ、１０ｂ、１０ｃは光学部品Ｄの両端部底面をも接着保持し得るようにその幅、接着力が選定される。また、この実施形態において使用する各ジャバラシート１２は光学部品Ｄを保持する開放部１２Ａ、１２Ｂの内壁に予め粘着層が形成されている。
まず、図５（ａ）の状態では第１の粘着層１０ａ上にジャバラシート１２を所定のピッチにて立設して接着する。このジャバラシート１２の開放部１２Ａ内に光学部品Ｄの一端部を差し込むと共に、（ｂ）のように光学部品Ｄの他端部を第２の粘着層１０ｂ上に接着して位置決めした状態で、他のジャバラシート１２を第２の粘着層１０ｂ上に立設して接着する。
次いで、図５（ｂ）に示すように第２の粘着層１０Ｂ上のジャバラシート１２の他面側の各開放部１２Ｂ内に新たな光学部品Ｄの一端部を差込みつつ各光学部品の底面を第２の粘着層１０ｂ上に接着保持すると共に、当該光学部品Ｄの他端部は第３の粘着層１０ｃ上に接着して位置決めする。光学部品Ｄの他端部は、第３の粘着層１０ｃ上に立設した他のジャバラシート１２の開放部１２Ａ内に差し込んで開放部１２Ａ内壁に形成した粘着層によって、光学部品他端部の稜線を線接触にて接着保持する。
【００１２】
なお、図５において予め全ての粘着層１０ａ、１０ｂ、１０ｃ上に予め各ジャバラシート１２を所定の開放部ピッチにて立設固定しておき、各ジャバラシートの対向し合う開放部１２Ａ、１２Ｂ内に光学部品の端部を嵌合させて、各粘着層によって接着保持するようにしてもよい。
或いは、ジャバラシートの開放部内壁には粘着層を設けず、底板上面の粘着層１０ａ、１０ｂ、１０ｃの粘着力と、ジャバラシートの開放部の弾性保持力のみによって光学部品を立設保持するようにしてもよい。
この実施形態においても、各粘着層１０ａ、１０ｂ、１０ｃが各ジャバラシート１２を保持する際の開放部１２Ａ、１２Ｂの開放角度を任意に設定することが可能であるため、サイズ、厚みの異なる光学部品を同一構成のジャバラシートを用いて保持することが可能となる。
なお、本発明において使用するジャバラシートは、常時において圧縮した状態にあるものを軸方向へ拡開させることによってピッチ幅を拡幅させるようにしてもよいし、常時において拡開した状態にあるものを圧縮することによってピッチ幅を狭めるようにしてもよい。
【図面の簡単な説明】
【００１３】
【図１】（ａ）及び（ｂ）は梱包容器の一部断面斜視図、及びケース内に光学部品を保持した状態を示す平面図。
【図２】（ａ）及び（ｂ）は本発明の一実施形態に係る光学部品梱包容器を構成する配列手段の基本形状を示す正面図及び端面図。
【図３】ジャバラシートの変形例を示す端面図であり、（ａ）は略台形状の図、（ｂ）は先端の幅が漸減するテーパー部を有した形状の図。
【図４】本発明の梱包容器１の他の実施形態を示す要部斜視図。
【図５】（ａ）（ｂ）及び（ｃ）は本発明の他の実施形態に係る梱包容器による光学部品の梱包手順を示す平面図。
【符号の説明】
【００１４】
１  梱包容器、２  ケース、３  下ケース、４  上ケース、５  底板、６  枠体、７  係止部材、１０  粘着層、１１  配列手段、１２  ジャバラシート、１２ａ  被係止部、１２Ａ、１２Ｂ  開放部、１５  粘着層
【図１】
2006273350.tif 000003
【図２】
2006273350.tif 000004
【図３】
2006273350.tif 000005
【図４】
2006273350.tif 000006
【図５】
2006273350.tif 000007